(57)【要約】【課題】  ストロボパネルの素材に染料を混合したり、キセノン管に着色したりせずに、ストロボパネルを透過するストロボ光の色温度を簡単に低下させて原価低減したレンズ付きフィルムユニット。【解決手段】  簡易な撮影機構を内蔵し、未露光のフィルムを予め装填したレンズ付きフィルムユニットにおいて、前記撮影機構を被覆する外装部材の一部若しくは全体と、少なくともストロボ光を透過して照射するストロボパネルとをシュリンクフィルムにて被覆し、前記ストロボパネルに対向するシュリンクフィルムの部分に、ストロボ光の色温度を低下させる着色を施したこと。【選択図】        図１
2005338229.tif 000002
【特許請求の範囲】
【請求項１】
簡易な撮影機構を内蔵し、未露光のフィルムを予め装填したレンズ付きフィルムユニットにおいて、
前記撮影機構を被覆する外装部材の一部若しくは全体と、少なくともストロボ光を透過して照射するストロボパネルとをシュリンクフィルムにて被覆し、
前記ストロボパネルに対向するシュリンクフィルムの部分に、ストロボ光の色温度を低下させる着色を施したことを特徴とするレンズ付きフィルムユニット。
【請求項２】
前記着色した色が黄赤色であることを特徴とする請求項１に記載のレンズ付きフィルムユニット。
【請求項３】
簡易な撮影機構を内蔵し、未露光のフィルムを予め装填したレンズ付きフィルムユニットにおいて、
前記撮影機構を被覆する外装部材の一部若しくは全体と、少なくともストロボ光を透過して照射するストロボパネルとをシュリンクフィルムにて被覆し、
前記ストロボパネルに対向するシュリンクフィルムの部分に、ストロボ光の光量を低下させる着色を施したことを特徴とするレンズ付きフィルムユニット。
【請求項４】
前記着色した色が中性灰色であることを特徴とする請求項３に記載のレンズ付きフィルムユニット。
【請求項５】
簡易な撮影機構を内蔵し、未露光のフィルムを予め装填したレンズ付きフィルムユニットにおいて、
前記撮影機構を被覆する外装部材の一部若しくは全体と、少なくとも撮影レンズの前方とをシュリンクフィルムにて被覆し、
前記撮影レンズの前方に位置するシュリンクフィルムの部分に、前記撮像レンズへの入射光量を低下させる着色を施したことを特徴とするレンズ付きフィルムユニット。
【請求項６】
前記着色した色が中性灰色であることを特徴とする請求項５に記載のレンズ付きフィルムユニット。
【請求項７】
簡易な撮影機構を内蔵し、未露光のフィルムを予め装填したレンズ付きフィルムユニットにおいて、
前記撮影機構を被覆する外装部材の一部若しくは全体と、少なくとも撮影レンズの前方とをシュリンクフィルムにて被覆し、
前記撮影レンズの前方に位置するシュリンクフィルムの部分に、多数の細かい凹凸を形成するか、または粗し処理を施したことを特徴とするレンズ付きフィルムユニット。
【発明の詳細な説明】
【技術分野】
【０００１】
本発明は、簡易な撮影機構を内蔵し、未露光のフィルムを予め装填したレンズ付きフィルムユニットに関する。
【背景技術】
【０００２】
手軽に撮影できるように、簡易な撮影機構を内蔵し、未露光のフィルムを予め装填したレンズ付きフィルムユニットが広く用いられている。
【０００３】
ユーザーがレンズ付きフィルムユニットを用いて撮影をすると、現像とプリントを写真店やＤＰＥ店に依頼するが、これらの店では依頼されたレンズ付きフィルムユニットをラボに送る。ラボでは後カバーを外してフィルムを取り出し、現像処理を行うが、メーカーはフィルムを取り出したカメラ部分を回収し、各ユニット及び部品毎に分解して検査を行う。そして、使用可能なユニットや部品については新たに生産するレンズ付きフィルムユニットに再び使用し（リユース）、使用不可能になったユニットや部品については解体して粉砕し、ペレットにして再度成型（リサイクル）している。
【０００４】
また、レンズ付きフィルムユニットにはストロボを内蔵したものがあり、室内や夜間の低輝度な状態でも良好に撮影することができる。
【０００５】
このストロボにおいて、キセノン管で発光したストロボ光の色温度は７，５００〜８，０００°Ｋと高いため、このままストロボ光を照射して撮影すると、青みがかかった写真になってしまう。そこで、キセノン管や反射傘の前方に配置して、これらを保護すると共にストロボ光を透過して被写体に向けて照射するストロボパネルの素材に染料を混合し、ストロボパネルを透過するストロボ光の色温度を日中光と同じ色温度である５，５００°Ｋ前後に低下させている。
【０００６】
その他に、キセノン管に着色し、同様に色温度を低下させるストロボもある。
【０００７】
また、レンズ付きフィルムユニットの一部若しくは全体をシュリンクフィルムで被覆し、防塵性や防滴性を向上させたり、リユース性を向上させたりしたものがある（例えば、特許文献１〜３参照）。
【特許文献１】特開平５−２６５１４１号公報
【特許文献２】特開平９−６１９６９号公報
【特許文献３】実開平３−６０３４２号公報
【発明の開示】
【発明が解決しようとする課題】
【０００８】
前述の如く、ストロボパネルを透過するストロボ光の色温度を低下させるために、ストロボパネルの素材に染料を混合したり、キセノン管に着色したりするので、原価高になる。従って、誰でも気軽に購入できるように安価に生産することを目的にしたレンズ付きフィルムユニットにおいては好ましくなく、従来より解決すべき問題点の一つであった。
【０００９】
そこで、本発明者は鋭意検討した結果、レンズ付きフィルムユニットの一部若しくは全体をシュリンクフィルムで被覆し、防塵性、防滴性、リユース性を向上させると共に、このシュリンクフィルムによりストロボ光の色温度を低下させることに想到した。これを第１の発明とする。
【００１０】
また、例えばＩＳＯ１００のフィルムを装填すべく過去に生産されたレンズ付きフィルムユニットをリユースして、新たに生産するレンズ付きフィルムユニットにＩＳＯ４００のフィルムを装填することがある。これは、ＩＳＯ４００のフィルムはＩＳＯ１００のフィルムと較べて、画質の点では通常のユーザーが依頼するプリントサイズのＬ判サイズや２Ｌ判サイズでは全く遜色がなく、しかも近年は多量に生産されるため、より原価安になっているからである。しかし、ストロボに合わせた絞りはＩＳＯ１００用に設計されているので、ＩＳＯ４００のフィルムを用いたときにストロボ発光させると、２ＥＶの露出過多になってしまう。
【００１１】
そこで、レンズ付きフィルムユニットの一部若しくは全体をシュリンクフィルムで被覆し、防塵性、防滴性、リユース性を向上させると共に、このシュリンクフィルムによりストロボの光量を低下させ、より高感度のフィルムを装填した場合にストロボ発光時に露出過多になることを防止した発明を第２の発明とする。
【００１２】
また、シャッタ速度と絞り値はＩＳＯ１００用に設計されているので、ＩＳＯ４００のフィルムを用いたときに、ストロボ発光させない通常撮影時にも、２ＥＶの露出過多になってしまう。
【００１３】
そこで、同様にシュリンクフィルムを用いて撮影レンズに入射する光量を低下させ、通常撮影時にも露出過多になることを防止した発明を第３の発明とする。
【００１４】
更に、レンズ付きフィルムユニットにおいてはユーザーの多岐の要望に応えるために、特殊な撮影が可能な製品も生産している。しかし、このような特殊な撮影が可能な製品は出荷数が少ないので、全く新規に設計して生産すると非常に原価高になって現実的でない。このために、多量生産するレンズ付きフィルムユニットと大部分の部品を共通にして、一部の部品のみを変更して特殊な撮影が可能なレンズ付きフィルムユニットを生産している。
【００１５】
この点を考慮して、同様にシュリンクフィルムを用い、ソフトフォーカス撮影が可能なレンズ付きフィルムユニットを簡単に生産できるようにした発明を第４の発明とする。
【課題を解決するための手段】
【００１６】
第１の発明は、簡易な撮影機構を内蔵し、未露光のフィルムを予め装填したレンズ付きフィルムユニットにおいて、前記撮影機構を被覆する外装部材の一部若しくは全体と、少なくともストロボ光を透過して照射するストロボパネルとをシュリンクフィルムにて被覆し、前記ストロボパネルに対向するシュリンクフィルムの部分に、ストロボ光の色温度を低下させる着色を施したことを特徴とするレンズ付きフィルムユニット、である。
【００１７】
第２の発明は、簡易な撮影機構を内蔵し、未露光のフィルムを予め装填したレンズ付きフィルムユニットにおいて、前記撮影機構を被覆する外装部材の一部若しくは全体と、少なくともストロボ光を透過して照射するストロボパネルとをシュリンクフィルムにて被覆し、前記ストロボパネルに対向するシュリンクフィルムの部分に、ストロボ光の光量を低下させる着色を施したことを特徴とするレンズ付きフィルムユニット、である。
【００１８】
第３の発明は、簡易な撮影機構を内蔵し、未露光のフィルムを予め装填したレンズ付きフィルムユニットにおいて、前記撮影機構を被覆する外装部材の一部若しくは全体と、少なくとも撮影レンズの前方とをシュリンクフィルムにて被覆し、前記撮影レンズの前方に位置するシュリンクフィルムの部分に、前記撮像レンズへの入射光量を低下させる着色を施したことを特徴とするレンズ付きフィルムユニット、である。
【００１９】
第４の発明は、簡易な撮影機構を内蔵し、未露光のフィルムを予め装填したレンズ付きフィルムユニットにおいて、前記撮影機構を被覆する外装部材の一部若しくは全体と、少なくとも撮影レンズの前方とをシュリンクフィルムにて被覆し、前記撮影レンズの前方に位置するシュリンクフィルムの部分に、多数の細かい凹凸を形成するか、または粗し処理を施したことを特徴とするレンズ付きフィルムユニット、である。
【発明の効果】
【００２０】
請求項１，２に記載のレンズ付きフィルムユニットによれば、レンズ付きフィルムユニットの一部若しくは全体をシュリンクフィルムで被覆し、防塵性、防滴性、リユース性を向上させると共に、このシュリンクフィルムによりストロボ光の色温度を低下させるので、ストロボパネルの素材に染料を混合したり、キセノン管に着色したりする必要がなく、原価低減になる。
【００２１】
請求項３，４に記載のレンズ付きフィルムユニットによれば、レンズ付きフィルムユニットの一部若しくは全体をシュリンクフィルムで被覆し、防塵性、防滴性、リユース性を向上させると共に、このシュリンクフィルムによりストロボ光の光量を低下させるので、低感度のフィルムを装填すべく過去に生産されたレンズ付きフィルムユニットをリユースして、新たに生産するレンズ付きフィルムユニットに高感度のフィルムを装填する場合に、露出過多になってしまうことがない。
【００２２】
請求項５，６に記載のレンズ付きフィルムユニットによれば、レンズ付きフィルムユニットの一部若しくは全体をシュリンクフィルムで被覆し、防塵性、防滴性、リユース性を向上させると共に、このシュリンクフィルムにより撮影レンズへの入射光量を低下させるので、低感度のフィルムを装填すべく過去に生産されたレンズ付きフィルムユニットをリユースして、新たに生産するレンズ付きフィルムユニットに高感度のフィルムを装填する場合に、露出過多になってしまうことがない。
【００２３】
請求項７に記載のレンズ付きフィルムユニットによれば、レンズ付きフィルムユニットの一部若しくは全体をシュリンクフィルムで被覆し、防塵性、防滴性、リユース性を向上させると共に、このシュリンクフィルムによりソフトフォーカス撮影が可能なレンズ付きフィルムユニットを簡単に生産することができる。
【発明を実施するための最良の形態】
【００２４】
本発明のレンズ付きフィルムユニットにおける実施の形態を、図を参照して説明する。
［第１の実施の形態］
第１の発明に関する第１の実施の形態を図１及び図２を参照して説明する。図１はシュリンクフィルムを被覆したレンズ付きフィルムユニットの斜視図、図２はストロボ発光部の断面図である。
【００２５】
図１において、前面には撮影レンズ１、ファインダ対物レンズ窓２、ストロボパネル３、ストロボ用ボタン４が配置され、上面にはレリーズボタン５、指数器窓６、充電表示窓７が配置され、背面には巻上げノブ８が配置されている。そして、内部には未露光のフィルムが生産工程で予め装填されている。
【００２６】
通常の撮影時には巻上げノブ８でフィルムを巻き上げると共にシャッタチャージし、背面にあって不図示のファインダ接眼レンズ窓からファインダ対物レンズ窓２を通して被写体を覗いて構図を定め、レリーズボタン５を押下すれば、被写体の光像が撮影レンズ１によってフィルムに結像される。そして、撮影コマ数を指数器窓６で確認することができる。
【００２７】
ストロボ撮影時には、ストロボ用ボタン４を押圧すれば、ストロボの充電が開始し、充電が完了すれば、充電表示窓７が点灯する。同様に、レリーズボタン５を押下すれば、図２に示す内部のキセノン管３６で発光し反射傘３７で反射したストロボ光がストロボパネル３を透過して被写体に照射するので、室内や夜間の低輝度の状態でも適正な露出が得られる。なお、ストロボパネル３は内部のキセノン管３６や反射傘３７を被覆・保護すると共に、反射傘３７でも反射制御できずに画角外に拡散するストロボ光を画角内に集光するように、フレネルレンズ状に形成されている。
【００２８】
また、ストロボ用ボタン４から手を離しても充電は続行する。その後、フル充電になると自然に充電が停止するが、ストロボ撮影を行わずにいると、充電電圧が低下する。従って、このときストロボ撮影を行うためには、再びストロボ用ボタン４を押圧すればよい。
【００２９】
このような作動を行う各種の簡易な撮影機構が内部に収容されているが、これらの撮影機構を外装部材１０で被覆し、更に外装部材１０等をシュリンクフィルム１１にて被覆している。シュリンクフィルム１１は熱によって収縮する性質を有しており、外装部材１０を被覆した後、熱を加えることにより収縮して外装部材１０に密着する。そして、シュリンクフィルム１１は外装部材１０の全体と、少なくともストロボパネル３を被覆する。
【００３０】
なお、シュリンクフィルム１１における撮影レンズ１、ファインダ対物レンズ窓２、不図示のファインダ接眼レンズ窓、ストロボ用ボタン４、レリーズボタン５、指数器窓６、充電表示窓７及び巻上げノブ８と対向する部分には孔が空けられているので、これらの作動に支障を来すことはない。
【００３１】
また、シュリンクフィルム１１には予め所定の色で着色が施されているので、生産上の理由で外装部材１０に設けた孔や窪み、外装部材１０のヒケ、パーティングライン、ウエルドライン、２部品の接触部の間隙、内部部品を螺設したネジ頭等の見苦しい所が隠されている。
【００３２】
更に、シュリンクフィルム１１には所定の意匠が施され、商品名や簡単な撮影方法の記載と共に印刷されている。
【００３３】
従って、従来のレンズ付きフィルムユニットに設けられていた紙カバーやラベルは不要である。
【００３４】
なお、シュリンクフィルム１１に無色透明な材料を用い、ファインダ対物レンズ窓２、ファインダ接眼レンズ窓、指数器窓６、充電表示窓７等に対向する部分には孔を空けないで、そのまま視認するようにしてもよい。
【００３５】
以上の如くシュリンクフィルム１１を外装部材１０に被覆することによって、シュリンクフィルム１１は外装部材１０に密着し、従来より防塵性や防滴性を向上させることができる。この結果、内部の部品やユニットの損傷が少なくなり、リユース可能な部品やユニットが増加して、リユース性が向上する。また、従来は紙カバーやラベルで外装部材の一部のみを被覆していたので、ユーザーによって疵等が付いてリユース不可能な外装部材が多かったが、シュリンクフィルム１１で外装部材１０の全体を被覆することにより、ユーザーによる疵等は大幅に減少し、リユース性が向上する。
【００３６】
このようなシュリンクフィルム１１におけるストロボパネル３に対向する部分１１ａには、ストロボ光の色温度を低下させる着色が施されている。例えばアンバー色（黄赤色）に印刷されていて、ストロボ光の短波長側の青い光域の透過率を低下させることにより、青みがかかった写真になることを防止している。従って、キセノン管３６やストロボパネル３にストロボ光の色温度を低下させる着色を施さなくてもよいので、原価安になる。
【００３７】
なお、場合によってはシュリンクフィルム１１で外装部材１０の全体を必ずしも被覆しなくてもよく、側面、背面若しくは底面の一部に被覆しない部分があってもよい。
【００３８】
また、リユースの際にシュリンクフィルム１１を剥がすことを考慮して、底面等のユーザーの手が触れ難い所に、煙草の箱を覆う透明シートの取り出し口に設けられているような紐を設けてもよい。この紐を引くことによってシュリンクフィルム１１を簡単に破くことができる。
［第２の実施の形態］
第２の発明に関する第２の実施の形態を図３を参照して説明する。図３はシュリンクフィルムを被覆したレンズ付きフィルムユニットの斜視図である。
【００３９】
図３において、撮影レンズ１、ファインダ対物レンズ窓２、ストロボパネル３、ストロボ用ボタン４、レリーズボタン５、指数器窓６、充電表示窓７、巻上げノブ８が図１と同様に配置されている。そして、内部には未露光のフィルムが生産工程で予め装填されている。
【００４０】
また、図１と同様に外装部材１０等をシュリンクフィルム２１にて被覆している。そして、シュリンクフィルム２１におけるストロボパネル３に対向する部分２１ａは、ストロボ光の光量を低下させるべく、印刷でＮＤフィルタの如き中性灰色（グレイ）に着色されている。
【００４１】
これによって、ストロボの光量が色彩に影響を与えないで低下するので、「発明が解決しようとする課題」に記した如く、レンズ付きフィルムユニットをリユースして、新たに生産するレンズ付きフィルムユニットにより高感度のフィルムを装填したときに露出過多になることを防止することができる。
【００４２】
なお、中性灰色の濃度は装填するフィルムのＩＳＯ感度の差に応じて適宜決めればよい。
［第３の実施の形態］
第３の発明に関する第３の実施の形態を図４を参照して説明する。図４はシュリンクフィルムを被覆したレンズ付きフィルムユニットの斜視図である。
【００４３】
図４において、撮影レンズ１、ファインダ対物レンズ窓２、ストロボパネル３、ストロボ用ボタン４、レリーズボタン５、指数器窓６、充電表示窓７、巻上げノブ８が図１と同様に配置されている。そして、内部には未露光のフィルムが生産工程で予め装填されている。
【００４４】
また、図１と同様に外装部材１０等をシュリンクフィルム３１にて被覆している。そして、シュリンクフィルム３１における撮影レンズ１に対向する部分３１ａは、撮影レンズ１への入射光量を低下させるべく、印刷でＮＤフィルタの如き中性灰色（グレイ）に着色されている。
【００４５】
これによって、撮影レンズ１への入射光量が色彩に影響を与えないで低下するので、「発明が解決しようとする課題」に記した如く、レンズ付きフィルムユニットをリユースして、新たに生産するレンズ付きフィルムユニットにより高感度のフィルムを装填したときに露出過多になることを防止することができる。
【００４６】
なお、中性灰色の濃度は装填するフィルムのＩＳＯ感度の差に応じて適宜決めればよい。
［第４の実施の形態］
第４の発明に関する第４の実施の形態を図５を参照して説明する。図５はシュリンクフィルムを被覆したレンズ付きフィルムユニットの斜視図である。
【００４７】
図５において、撮影レンズ１、ファインダ対物レンズ窓２、ストロボパネル３、ストロボ用ボタン４、レリーズボタン５、指数器窓６、充電表示窓７、巻上げノブ８が図１と同様に配置されている。そして、内部には未露光のフィルムが生産工程で予め装填されている。
【００４８】
また、図５と同様に外装部材１０等をシュリンクフィルム４１にて被覆している。そして、シュリンクフィルム４１における撮影レンズ１に対向する部分４１ａには、多数の細かい凹凸が金型によって形成されている。また、この部分４１ａに粗し処理を施してもよい。
【００４９】
これによって、ソフトフォーカス撮影が可能となり、女性の柔らかい感じを表現することができる。
【図面の簡単な説明】
【００５０】
【図１】第１の実施の形態における、シュリンクフィルムを被覆したレンズ付きフィルムユニットの斜視図である。
【図２】ストロボ発光部の断面図である。
【図３】第２の実施の形態における、シュリンクフィルムを被覆したレンズ付きフィルムユニットの斜視図である。
【図４】第３の実施の形態における、シュリンクフィルムを被覆したレンズ付きフィルムユニットの斜視図である。
【図５】第４の実施の形態における、シュリンクフィルムを被覆したレンズ付きフィルムユニットの斜視図である。
【符号の説明】
【００５１】
１  撮像レンズ
３  ストロボパネル
１０  外装部材
１１，２１，３１，４１  シュリンクフィルム
１１ａ，２１ａ，３１ａ，４１ａ  部分
【図１】
2005338229.tif 000003
【図２】
2005338229.tif 000004
【図３】
2005338229.tif 000005
【図４】
2005338229.tif 000006
【図５】
2005338229.tif 000007